(57)【要約】【課題】ロックピースの動きに連動するレバーの動きを妨げずに、耐久性の高い開口部閉塞構造を実現した電気転てつ機用回路制御器を提供する。【解決手段】レバー３は、長さ方向の一端が箱体１の内部空間１０２に在る回路制御部１０３に接続され、他端が箱体１の開口部１０１を通って外部に導かれる。閉塞部材５は、箱体１に固定され、開口部１０１を閉塞し、レバー３の周りに動作許容空間５０２を形成し、動作許容空間５０２を箱体１の内部空間１０２から遮断する。【選択図】図４
2015085880.tif 000002
【特許請求の範囲】
【請求項１】
レバーと、閉塞部材とを含む電気転てつ機用回路制御器であって、
前記レバーは、長さ方向の一端が箱体の内部空間に設けた回路制御部に接続され、他端が前記箱体の開口部を通って外部に導かれ、
前記閉塞部材は、前記箱体に固定され、前記開口部を閉塞し、前記レバーの周りに動作許容空間を形成し、前記動作許容空間を前記箱体の内部空間から遮断する、
回路制御器。
【請求項２】
請求項１に記載された回路制御器であって、前記レバーは、前記箱体の内部空間に設定された回転軸を中心として前記動作許容空間内で回転する、回路制御器。
【請求項３】
請求項２に記載された回路制御器であって、前記閉塞部材は、回転変位の小さい位置で前記レバーに接触する、回路制御器。
【請求項４】
請求項３に記載された回路制御器であって、前記閉塞部材は、前記接触する部位に低摩擦部を有する、回路制御器。
【請求項５】
請求項１乃至４の何れかに記載された回路制御器であって、前記閉塞部材は、複数の分割片を組み合わせたものである、回路制御器。
【発明の詳細な説明】
【技術分野】
【０００１】
本発明は、電気転てつ機に用いられる回路制御器に関する。
【背景技術】
【０００２】
電気転てつ機用回路制御器は、鉄道ポイント（分岐器）の転換に伴うロックピースの移動に応答して、電気回路接点を切り替える動作をする。回路制御器は、箱体の内部に、接点群より構成される回路制御部を内蔵させてあり、この回路制御部の接点群の接点を、ロックピースの動作に追従するレバーによって切り替えるようになっている。レバー（レバー）は、長さ方向の一端が、箱体に内蔵された回路制御部に接続され、他端が箱体の開口部をとおって外部に導かれ、ロックピースの移動動作を受けるようになっている。
【０００３】
回路制御器は、通常、電気転てつ機本体の金属ケースに収容されている。金属ケースの底部には水抜き孔がある。この水抜き孔から金属ケース内に、アリや、ムカデや、ゴキブリ等の虫が侵入し、さらに回路制御器の箱体に設けられた開口部からその内部に侵入し、虫によって回路制御器が故障することがある。
【０００４】
回路制御器への虫の侵入を防止するため、開口部を蛇腹状のゴム膜で覆うことが検討された。しかしながら、そのようなゴム膜は、レバーの動きによって疲労破断し、破断したゴム膜が固まって開口部を塞ぎ、レバーの動きを妨げるおそれがある。
【０００５】
上述した問題点を解決する手段として、特許文献１は、レバーと開口部の周縁との間隙を塞ぐ塞ぎ板を、レバーを囲むように結合された１対のレバーを有によって構成し、塞ぎ板をレバーの搖動に追従してスライドさせる構造を開示している。塞ぎ板は、保持部によって保持されて、基台上をスライドする。
【０００６】
しかし、この構造では、レバー及び基台の相対的スライド動作による摩耗や破断を回避することができない。
【先行技術文献】
【特許文献】
【０００７】
【特許文献１】特開２０１３−１９３５０６号公報
【発明の概要】
【発明が解決しようとする課題】
【０００８】
本発明の課題は、上述した問題を解決し、ロックピースの動きに連動するレバーの動きを妨げずに、耐久性の高い開口部閉塞構造を実現した電気転てつ機用回路制御器を提供することである。
【課題を解決するための手段】
【０００９】
上述した課題を解決するため、本発明に係る電気転てつ機用回路制御器は、レバーと、閉塞部材とを含む。前記レバーは、長さ方向の一端が箱体の内部空間に設けた回路制御部に接続され、他端が前記箱体の開口部を通って外部に導かれる。前記閉塞部材は、前記箱体に固定され、前記開口部を閉塞し、前記レバーの周りに動作許容空間を形成し、前記動作許容空間を前記箱体の内部空間から遮断する。
【００１０】
上述したように、本発明に係る電気転てつ機用回路制御器は、閉塞部材を有しており、閉塞部材は、レバーの通る開口部を閉塞しているから、電気転てつ機本体の金属ケース内に侵入したアリや、ムカデや、ゴキブリ等の虫が、回路制御器の箱体の内部に侵入することはない。よって、虫による回路制御器の故障を回避することができる。
【００１１】
閉塞部材は、箱体に固定されているのであるから、塞ぎ板をレバーの搖動に追従してスライドさせる従来構造と異なって、相対的スライド動作による摩耗、破断等を生じる余地がない。
【００１２】
閉塞部材は、レバーの周りに動作許容空間を形成してあるから、閉塞部材からレバーに対して動作干渉を及ぼすことなく、動作許容空間において、レバーをロックピースの動作に確実に追従させることができる。
【００１３】
閉塞部材は、動作許容空間を箱体の内部空間から遮断するから、虫等が、動作許容空間を通って箱体の内部空間に侵入するのを阻止し得る。閉塞部材は、動作許容空間を箱体の内部空間から遮断するに当たり、レバーに接触するのであって、閉塞部材が伸縮するのではないから、蛇腹状のゴム膜で覆う従来技術と異なって、疲労破断を起こしにくい。
【００１４】
レバーは、一般には、箱体の内部空間に設定された回転軸を中心として回転するから、動作許容空間には、レバーの回転動作に対応するような形状、構造が付与される。
【００１５】
閉塞部材は、好ましくは、回転変位の小さい位置でレバーに接触させる。これにより、レバーの回転運動に伴う閉塞部材の疲労劣化を抑え、長寿命化に資することができる。
【００１６】
閉塞部材の疲労劣化は、接触する部位に低摩擦部材を有することによって、更に抑制することができる。
【００１７】
閉塞部材は、ゴム系材料、プラスチック材料、金属材料またはそれらの組合せによって構成することができる。
【発明の効果】
【００１８】
以上述べたように、本発明によれば、ロックピースの動きに連動するレバーの動きを妨げずに、耐久性の高い開口部閉塞構造を実現した電気転てつ機用回路制御器を提供することができる。
【図面の簡単な説明】
【００１９】
【図１】本発明に係る電気転てつ機用回路制御器の一部破断平面図である。
【図２】図１に示した電気転てつ機用回路制御器の一部破断正面図である。
【図３】図１及び図２に示した電気転てつ機用回路制御器の一部破断側面図である。
【図４】図１〜図３に示した電気転てつ機用回路制御器のレバーと閉塞部材との関係を示す一部拡大平面図である。
【図５】図１〜図３に示した電気転てつ機用回路制御器のレバーと閉塞部材との関係を示す一部拡大側面図である
【発明を実施するための形態】
【００２０】
まず、図１〜図３を参照するに、本発明に係る電気転てつ機用回路制御器は、レバー３と、閉塞部材５とを含む。レバー３は、長さ方向の一端が箱体１の内部空間１０２に配置された回路制御部１０３に接続され、他端が箱体１の開口部１０１を通って外部に導かれる。
【００２１】
箱体１の内部に配置された回路制御部１０３は、接点群で構成されている。接点群に含まれる接点は、レバー３の動作位置に応じて切り替えられる。箱体１の開口部１０１は、その側面板１１１の一部を切欠いて形成されている。箱体１は、その底部がベース板１０６によって閉じられている。箱体１は、ボルト等の結合具１０８によってベース板１０６の一面上に固定されている。ベース板１０６は、その内面側に回路制御部１０３が取り付けられており、外面には、回路制御部１０３に電気的に接続された端子群１０７が突設されている。参照符号１０５は、外部取付具である。
【００２２】
レバー３は、鉄道ポイントの転換に伴うロックピースの移動に追従して、箱体１の内部空間１０２に設定された回転軸１０４を中心として、矢印Ｆ１又はＲ１の方向に回転し、所定の回転位置で停止する。その停止位置は、ロックピース(図示しない)の定位又は反位の位置に相当する。
【００２３】
閉塞部材５は、箱体１に取り付けられ、開口部１０１を閉塞する。閉塞部材５は、図４及び図５に図示されているように、レバー３の周囲（上下左右）を、空間を隔てて覆い、箱体１の開口部１０１を設けた側面板１１１に嵌め込まれ、開口部１０１を閉じている。箱体１の側面板１１１への取付に当たっては、閉塞部材５に溝５０１を設け、この溝５０１内に開口部１０１の開口縁を挿入、または、圧入する。閉塞部材５は、例えば、ゴム系材料、プラスチック材料、金属材料またはそれらの組合せによって構成しえる。
【００２４】
閉塞部材５は、一体成形物でもよいし、複数の分割片を組み合わせたものであってもよい。複数の分割片の組合せの場合は、平面視（図４）して、回転軸１０４の軸心を通る中心線Ｏ１を分割線とし、両分割片を互いに圧入する等して組立てることができる。
【００２５】
閉塞部材５は、ベース板１０６から離れレバ―３に近づくにつれて厚みが増加するように、箱体１の内部空間１０２の側の外面を、傾斜面５０４としてある。これにより、閉塞部材５の機械的強度を増大させることができる。
【００２６】
閉塞部材５は、レバー３の周りに、その回転動作を障害することなく許容する空間５０２（動作許容空間という）を形成する。図示の動作許容空間５０２は、閉塞部材５を貫通しており、レバー３の回転動作に対応するような形状、構造が付与されている。具体的には、レバー３が，回転軸１０４を中心にして矢印Ｆ１、Ｒ１の方向に回転するとして、動作許容空間５０２は、その内部で採り得る最大角度θ１、θ２の範囲では、レバー３が閉塞部材５に接触しないような形状及び大きさに設定する。
【００２７】
また、閉塞部材５は、例えば、その端部付近を、レバー３の表面でスライドできるようにレバー３に接触させて、動作許容空間５０２を箱体１の内部空間１０２から遮断する。閉塞部材５は、好ましくは、回転変位の小さい位置でレバー３に接触させる。図４及び図５の実施例では、レバー３は、回転軸１０４を中心として回転するから、回転軸１０４の周辺で回転変位が最小になる。よって、閉塞部材５は、好ましくは、回転軸１０４の周辺でレバー３に接触させる。閉塞部材５は、少なくともレバー３と接触する接触位置５０３に低摩擦部材を備えることも可能である。低摩擦部材として、各種のプラスチック材料が知られているので、それらを選択使用すればよい。
【００２８】
図４及び図５では、上述の条件を満たすべく、回転軸１０４の周辺で閉塞部材５をレバー３に接触させ、その接触位置５０３から前方、即ち、箱体１の外部に向かって、動作許容空間５０２を拡大させ、外部に開口させてある。即ち、動作許容空間５０２は、ラッパ状の形状を持つ。もっとも、動作許容空間５０２は、回転角θ１、θ２の範囲で、レバー３が閉塞部材５に接触しないような大きさに設定すればよいので、実施例の形状に限定されるものではない。
【００２９】
上述したように、本発明に係る電気転てつ機用回路制御器は、閉塞部材５を有しており、閉塞部材５は、レバー３の通る開口部１０１を閉塞しているから、電気転てつ機本体の金属ケース内に侵入したアリや、ムカデや、ゴキブリ等の虫が、回路制御器の箱体１の内部に侵入することはない。よって、虫による回路制御器の故障を回避することができる。
【００３０】
閉塞部材５は、箱体１に固定されているから、塞ぎ板をレバーの搖動に追従してスライドさせる従来構造と異なって、相対的スライド動作による摩耗、破断等を生じる余地がない。
【００３１】
閉塞部材５は、レバー３の周りに動作許容空間５０２を形成してあるから、閉塞部材５からレバー３に対して動作干渉を及ぼすことなく、動作許容空間５０２において、レバー３をロックピースの動作に確実に追従させることができる。
【００３２】
閉塞部材５は、動作許容空間５０２を箱体１の内部空間１０２から遮断するから、虫等が、動作許容空間５０２を通って箱体１の内部空間１０２に侵入するのを阻止し得る。
【００３３】
閉塞部材５は、動作許容空間５０２を箱体１の内部空間１０２から遮断するに当たり、レバー３に接触するのであって、閉塞部材５が伸縮するのではないから、蛇腹状のゴム膜で覆う従来技術と異なって、疲労破断を起こしにくい。
【００３４】
閉塞部材５を、回転変位の小さい位置、例えば、回転軸１０４の周辺でレバー３に接触させた場合は、レバー３の回転運動に伴う閉塞部材５の疲労劣化を抑え、長寿命化に資することができる。閉塞部材５の疲労劣化は、接触する部位に低摩擦部材を有することによって、更に抑制することができる。
【００３５】
以上、好ましい実施例を参照して本発明を詳細に説明したが、本発明はこれらに限定されるものではなく、当業者であれば、その基本的技術思想および教示に基づき、種々の変形例を想到できることは自明である。
【符号の説明】
【００３６】
１            箱体
１０１            開口部
１０２            内部空間
３            レバー
５            閉塞部材
５０１            溝
５０２            動作許容空間
５０３            接触位置
【図１】
2015085880.tif 000003
【図２】
2015085880.tif 000004
【図３】
2015085880.tif 000005
【図４】
2015085880.tif 000006
【図５】
2015085880.tif 000007